(57)【要約】【課題】粘着シートロールを軽力で簡単に交換することのできる粘着クリーナーが求められている。【解決手段】粘着クリーナー１は粘着シートロール６を回動自由に枢支するクリーナーであって、粘着シートロール６のロール芯Ｃ方向に沿って配置されるクリーナー本体２と、クリーナー本体２にロール芯Ｃ方向に沿って形成された案内部の横溝部２１と、横溝部２１に装着されてロール芯Ｃ方向に沿って案内される第２スライド体１０，１０と、芯管２６の管端開口２７，２７に装着されたキャップ体８，８を回動自由に枢支するように第２スライド体１０，１０の内面に設けられた第２枢支軸１４，１４とを備えるとともに、第２枢支軸１４，１４を、キャップ体８，８の軸穴２５，２５に装入した位置（実線）と軸穴２５，２５から離脱した位置（２点鎖線）の間で移動可能とするように、案内部と第２スライド体１０を構成してある。【選択図】　　　図３
2004041415.tif 000002
【特許請求の範囲】
【請求項１】
粘着層を外側にして芯管に巻回された粘着シートロールを回動自由に枢支する粘着クリーナーにおいて、粘着シートロールのロール芯方向に沿って配置されるクリーナー本体と、クリーナー本体に粘着シートロールのロール芯方向に沿って形成された案内部と、案内部に装着されて粘着シートロールのロール芯方向に沿って案内される第１スライド体と、第１スライド体の内面に設けられて芯管を回動自由に枢支する第１枢支軸とを備えるとともに、第１枢支軸を、芯管に装入した位置と芯管から離脱した位置の間で移動可能とするように、案内部と第１スライド体を構成したことを特徴とする粘着クリーナー。
【請求項２】
粘着層を外側にして芯管に巻回された粘着シートロールを回動自由に枢支する粘着クリーナーにおいて、粘着シートロールのロール芯方向に沿って配置されるクリーナー本体と、クリーナー本体に粘着シートロールのロール芯方向に沿って形成された案内部と、案内部に装着されて粘着シートロールのロール芯方向に沿って案内される第２スライド体と、芯管の管端開口に装着されたキャップ体を回動自由に枢支するように第２スライド体の内面に設けられた第２枢支軸とを備えるとともに、第２枢支軸を、キャップ体の軸穴に装入した位置とキャップ体の軸穴から離脱した位置の間で移動可能とするように、案内部と第２スライド体を構成したことを特徴とする粘着クリーナー。
【請求項３】
粘着層を外側にして芯管に巻回された粘着シートロールを回動自由に枢支する粘着クリーナーにおいて、粘着シートロールのロール芯方向に沿って配置されるクリーナー本体と、クリーナー本体に粘着シートロールのロール芯方向に沿って形成された案内部と、案内部に装着されて粘着シートロールのロール芯方向に沿って案内される第３スライド体と、芯管の管端開口に着脱自由に装着されるキャップ体を回動自由に枢支するように第３スライド体の内面に設けられた第３枢支軸とを備えるとともに、キャップ体および第３枢支軸を、芯管に装入された位置と芯管から離脱した位置の間で移動可能とするように、案内部と第３スライド体を構成したことを特徴とする粘着クリーナー。
【発明の詳細な説明】
【０００１】
【発明の属する技術分野】
本発明は、粘着シートロール外周の粘着層に塵や埃を付着させて掃除する粘着クリーナーに関するものである。
【０００２】
【従来の技術】
従来、この種の粘着クリーナーが例えば特開２００１−２９２９５３号公報や特開平９−２０６２７３号公報に開示されている。かかる公報開示の粘着クリーナーに係るものを図９に示す。図に示した粘着クリーナー５１は主に合成樹脂で構成されており、把手５５付きのクリーナー本体５２の両端に一対の支持腕５３，５３が垂設され、支持腕５３，５３の下部に軸穴５４，５４がそれぞれ形成されている。粘着クリーナー５１に用いられる粘着シートロール５６は、粘着層５７を外側にした粘着シートが芯管（図示省略）に巻回されたものであり、ロール両端開口にキャップ体５８，５８が装着されている。粘着シートロール５６は、キャップ体５８，５８のキャップ軸５９，５９が軸穴５４，５４に装入されて支持腕５３，５３に回動自由に枢支される。
【０００３】
この粘着クリーナー５１に粘着シートロール５６を装着する場合は、一方のキャップ軸５９を片側の軸穴５４に装入した後、他側の支持腕５３を外向きに撓ませて他方のキャップ軸５９を他側の軸穴５４に装入する。逆に、粘着シートロール５６を取り外す際には、一方の支持腕５３を外向きに撓ませてキャップ軸５９を軸穴５４から外し、その後、他方のキャップ軸５９を他側の軸穴５４から外して取り出すようにされている。
【０００４】
【発明が解決しようとする課題】
ところで、上記従来の粘着クリーナー５１において、支持腕５３は粘着シートロール５６を枢支する必要からある程度剛性を持たせてあるため、これを撓ませるには一定以上の力が必要となる。また、支持腕５３を押し広げた状態に保持しながら粘着シートロール５６を出し入れしなければならないため、手が滑って粘着シートロール５６を飛ばすおそれがある。そのため、非力なお年寄りや小児にとっては、粘着シートロール５６の交換が容易でなかった。
【０００５】
本発明は、上記した従来の問題点に鑑みてなされたものであって、粘着シートロールを軽力で簡単に交換することのできる粘着クリーナーの提供を目的とする。
【０００６】
【課題を解決するための手段】
上記目的を達成するために、本発明に係る粘着クリーナーは、粘着層を外側にして芯管に巻回された粘着シートロールを回動自由に枢支する粘着クリーナーにおいて、粘着シートロールのロール芯方向に沿って配置されるクリーナー本体と、クリーナー本体に粘着シートロールのロール芯方向に沿って形成された案内部と、案内部に装着されて粘着シートロールのロール芯方向に沿って案内される第１スライド体と、第１スライド体の内面に設けられて芯管を回動自由に枢支する第１枢支軸とを備えるとともに、第１枢支軸を、芯管に装入した位置と芯管から離脱した位置の間で移動可能とするように、案内部と第１スライド体を構成したものである。
【０００７】
また、粘着層を外側にして芯管に巻回された粘着シートロールを回動自由に枢支する粘着クリーナーにおいて、粘着シートロールのロール芯方向に沿って配置されるクリーナー本体と、クリーナー本体に粘着シートロールのロール芯方向に沿って形成された案内部と、案内部に装着されて粘着シートロールのロール芯方向に沿って案内される第２スライド体と、芯管の管端開口に装着されたキャップ体を回動自由に枢支するように第２スライド体の内面に設けられた第２枢支軸とを備えるとともに、第２枢支軸を、キャップ体の軸穴に装入した位置とキャップ体の軸穴から離脱した位置の間で移動可能とするように、案内部と第２スライド体を構成したものである。
【０００８】
そして、粘着層を外側にして芯管に巻回された粘着シートロールを回動自由に枢支する粘着クリーナーにおいて、粘着シートロールのロール芯方向に沿って配置されるクリーナー本体と、クリーナー本体に粘着シートロールのロール芯方向に沿って形成された案内部と、案内部に装着されて粘着シートロールのロール芯方向に沿って案内される第３スライド体と、芯管の管端開口に着脱自由に装着されるキャップ体を回動自由に枢支するように第３スライド体の内面に設けられた第３枢支軸とを備えるとともに、キャップ体および第３枢支軸を、芯管に装入された位置と芯管から離脱した位置の間で移動可能とするように、案内部と第３スライド体を構成したものである。
【０００９】
【発明の実施の形態】
以下、本発明の実施の形態を図面に基づいて説明する。
図１は本発明の一実施形態に係る粘着クリーナーを斜め後方から見た斜視図、図２は前記粘着クリーナーの側面図、図３は前記粘着クリーナーの正断面図、図４は前記粘着クリーナーの分解斜視図、図５は前記粘着クリーナーに用いる第２スライド体を示したもので、（ａ）は側面図、（ｂ）は（ａ）におけるＡ−Ａ線矢視図である。
各図において、この実施形態に係る粘着クリーナー１は例えば汎用合成樹脂で構成されており、上面中央部に把手５が立設された断面円弧状のクリーナー本体２と、クリーナー本体２の左右端に垂設された一対の支持腕３，３と、支持腕３，３に添えてそれぞれ配備される第２スライド体１０，１０と、クリーナー本体２の後部に配備されるカッター９とから成っている。
【００１０】
この粘着クリーナー１には、粘着層７を外側にした粘着シートを芯管２６に巻回した粘着シートロール６が使用される。粘着シートロール６はそのロール芯Ｃ方向に沿って前記のクリーナー本体２が配置される。芯管２６両端の管端開口２７，２７には、水平軸心の軸穴２５を有するキャップ体８，８がそれぞれ嵌着されている。すなわち、外径Ｄ２（図５参照）のキャップ体８は、内径Ｄ１（図３参照）である芯管２６の管端開口２７に装入し得る径に設定されている。
【００１１】
クリーナー本体２の両端部には、クリーナー本体２の上面よりも陥没した横段部１９が粘着シートロール６のロール芯Ｃ方向に沿って長く形成されている。この横段部１９には上下貫通する横溝部２１が同じくロール芯Ｃ方向に沿って形成されている。これらの横段部１９と横溝部２０とから案内部３０が構成される。
また、各支持腕３の上部には、前記の横段部１９から連続する縦段部２０と、前記の横溝部２１から連続する縦溝部２３とがそれぞれ形成されている。各支持腕３の下部には軸穴４がそれぞれ設けられている。
【００１２】
第２スライド体１０（図５参照）は、上面突起１２を有する横板部１１の外端に垂下部１３が設けられている。第２枢支軸１４は垂下部１３の下部内側面に内向きに突設されている。第２枢支軸１４は支持腕３の軸穴４を挿通可能な大きさに形成されている。また、第２枢支軸１４の外径Ｄ４はキャップ体８の軸穴２５の内径Ｄ３よりも小さく設定されていて、第２枢支軸１４がキャップ体８を回動自由に枢支できるようになっている。そして、横板部１１の下方には、縦リブ１５、横リブ１６、縦リブ１８が上から順に形成されている。横リブ１６の両側には支持腕３の縦溝部２３の内端縁部に着脱可能に係止される係止突起１７，１７が突設されている。
【００１３】
第２スライド体１０は、縦リブ１５が案内部３０の横溝部２１に、横リブ１６および縦リブ１８が支持腕３の縦溝部２３にそれぞれ装着されることにより、粘着シートロール６のロール芯Ｃ方向に沿って案内されるようになっている。この場合、案内部３０および第２スライド体１０相互の、形状、向き、あるいは長さは、第２枢支軸１４が、キャップ体８の軸穴２５に装入された位置（図３中の実線で示す１４）と、キャップ体８の軸穴２５から離脱した位置（図３中の二点鎖線で示す１４）の間で移動可能となるように互いに設定されている。
また、支持腕３，３の後上部にはカッター枢支穴２４，２４がそれぞれ形成され、これらのカッター枢支穴２４，２４にカッター９の両端が揺動自由に枢支されている。
【００１４】
上記のように構成された粘着クリーナー１について、粘着シートロール６を装着するに際し、利用者は上面突起１２に指を掛けて第２スライド体１０，１０を左右外向き（図３における矢印２８の方向）にそれぞれ引き出す。
これにより、例えば図３中の２点鎖線で示すように、第２枢支軸１４の先端がキャップ体８の軸穴２５から離脱した位置、すなわち支持腕３の内面（厳密にいえば縦段部２０の内面）よりも外側に達する。
【００１５】
そこで、利用者はクリーナー本体２下方の所定装着位置に、粘着シートロール６を装入する。この場合、利用者はロール芯Ｃが支持腕３，３の軸穴４，４の軸芯とほぼ一致する位置に粘着シートロール６を手で持ち、その状態で左右の第２スライド体１０，１０をそれぞれ内向き（図３における矢印２８の反対方向）に押す。すると、第２スライド体１０，１０は案内部３０（横段部１９，１９および横溝部２１，２１）に沿って移動する。これにより、第２枢支軸１４，１４がキャップ体８，８の軸穴２５，２５に装入され、粘着シートロール６が一対の第２スライド体１０，１０を介してクリーナー本体２に回動自由に枢支されることとなる。そのうち、第２スライド体１０，１０は、図３中の実線で示すように、垂下部１３，１３の内面が縦段部２０，２０の外面に当接した位置で止まる。このとき、垂下部１３，１３の外面は支持腕３の外面とほぼ面一となる。
【００１６】
すなわち、この粘着クリーナー１は、第２スライド体１０，１０を軽く左右に動かすだけで、キャップ体８，８付きの粘着シートロール６を容易に着脱することができる。従って、非力なお年寄りや小児でも簡単かつ確実に粘着シートロール６を交換できるのである。
【００１７】
次に、別の態様の粘着クリーナーを図６および図７に示す。各図に示した粘着クリーナー１ａが既述した粘着クリーナー１と異なるところは、第３スライド体１０ａの垂下部１３の内面に設けられた第３枢支軸１４ａに回動自由に枢支されたキャップ体８が、第３枢支軸１４ａ先端に形成された抜止め鍔部２９により抜け止めされていることと、支持腕３ａが粘着クリーナー１における支持腕３の下部を切除した態様とされていることによりキャップ体８との接触干渉を回避していることと、縦溝部２３ａも既述した縦溝部２３と比べて短くされていることである。キャップ体８は芯管２６の管端開口２７に着脱可能に装着されるようになっている。
【００１８】
かかる構成により、キャップ体８および第３枢支軸１０ａは、一体で、芯管２６に装入された位置（図７中の実線で示す８および１４ａ）と芯管２６から離脱した位置（図７中の２点鎖線で示す８および１４ａ）の間で移動可能となっている。このように構成したことにより、キャップ体８はいかなる状態でも第３枢支軸１４ａから離れないので、キャップ体８の紛失を防ぐことができる。
【００１９】
更に、他の態様の粘着クリーナーを図８に示す。図に示した粘着クリーナー１ｂが前記の粘着クリーナー１ａと異なるところは、第１スライド体１０ｂの垂下部１３の内面に垂下部１３と一体の第１枢支軸１４ｂを備えていることと、第１枢支軸１４ｂの外径Ｄ５が芯管２６の内径Ｄ１よりも小さく設定されていて、芯管２６が第１枢支軸１４ｂに回動自由に枢支されるようになっていることである。かかる構成により、第１枢支軸１４ｂは、芯管２６の管端開口２７に装入された位置（図８中の実線で示す１４ｂ）と芯管２６から離脱した位置（図８中の２点鎖線で示す１４ｂ）の間で移動可能となっている。
【００２０】
このように構成したことにより、粘着シートロール６を軽力で簡単に交換できるのは無論のこと、第１枢支軸１４ｂを芯管２６の管端開口２７に直に遊嵌して使用するので、キャップ体が不要となる。そのため、部品点数の削減化を図ることができ、キャップ体の紛失を懸念する必要がなく、キャップ体を芯管２６に装着する手間も要らない。
【００２１】
尚、上記の実施形態では、一対のスライド体を用いた例を挙げたが、本発明はそれに限定されるものでなく、固定側である支持腕で粘着シートロールの一端を枢支させ、粘着シートロールの他端をひとつのスライド体で着脱可能に枢支させるようにしても構わない。
【００２２】
【発明の効果】
以上詳述したように、本発明に係る粘着クリーナーは、粘着シートロールのロール芯方向に沿って案内されて粘着シートロールの芯管を回動自由に枢支する第１枢支軸を備え、第１枢支軸が芯管に装入された位置と芯管から離脱した位置の間で移動可能となっているので、第１スライド体を軽く動かすだけで、第１枢支軸を粘着シートロールの芯管に出し入れして粘着シートロールを容易に着脱することができる。従って、非力なお年寄りや小児でも簡単かつ確実に粘着シートロールを交換することができる。この場合、芯管の管端開口を塞ぐキャップ体を用いないものも含まれるので、全体としての部品点数が少なくて済む。
【００２３】
また、粘着シートロールの芯管の管端開口に装着されたキャップ体を回動自由に枢支する第２枢支軸を第２スライド体の内面に設け、第２枢支軸が、キャップ体の軸穴に装入した位置とキャップ体の軸穴から離脱した位置の間で移動可能となっているので、第２スライド体を軽く動かすだけで、キャップ体付きの粘着シートロールを容易に交換することができる。
【００２４】
そして、芯管の管端開口に着脱自由に装着されるキャップ体と、キャップ体を回動自由に枢支する第３枢支軸とを備え、キャップ体および第３枢支軸が、一体で、粘着シートロールの芯管に装入された位置と芯管から離脱した位置の間で移動可能となっているので、粘着シートロールの交換が容易であるのは無論のこと、キャップ体は第３枢支軸から離れない。そのため、キャップ体の紛失を防ぐことができる。
【図面の簡単な説明】
【図１】本発明の一実施形態に係る粘着クリーナーを斜め後方から見た斜視図である。
【図２】前記粘着クリーナーの側面図である。
【図３】前記粘着クリーナーの正断面図である。
【図４】前記粘着クリーナーの分解斜視図である。
【図５】前記粘着クリーナーに用いる第２スライド体を示したもので、（ａ）は側面図、（ｂ）は（ａ）におけるＡ−Ａ線矢視図である。
【図６】本発明の別の実施形態に係る粘着クリーナーの分解斜視図である。
【図７】前記別の粘着クリーナーの要部を示す正断面図である。
【図８】本発明の他の実施形態に係る粘着クリーナーの要部を示す正断面図である。
【図９】従来の粘着クリーナーの分解斜視図である。
【符号の説明】
１，１ａ，１ｂ　粘着クリーナー
２　　クリーナー本体
３，３ａ　支持腕
６　　粘着シートロール
７　　粘着層
８　　キャップ体
１０　第２スライド体
１０ａ　第３スライド体
１０ｂ　第１スライド体
１３　垂下部
１４　第２枢支軸
１４ａ　第３枢支軸
１４ｂ　第１枢支軸
１９　横段部
２１　横溝部
２５　軸穴
２６　芯管
２９　抜止め鍔部
３０　案内部
Ｃ　　ロール芯
【図１】
2004041415.tif 000003
【図２】
2004041415.tif 000004
【図３】
2004041415.tif 000005
【図４】
2004041415.tif 000006
【図５】
2004041415.tif 000007
【図６】
2004041415.tif 000008
【図７】
2004041415.tif 000009
【図８】
2004041415.tif 000010
【図９】
2004041415.tif 000011